(57)【要約】【課題】音声出力機能を備えた液晶表示装置（液晶テレビがその典型例）において、省電力化を図りつつ多様な利用形態に対応できる液晶表示装置を提供すること。【解決手段】制御回路６は、映像信号検知回路１３の検知結果に基づいて、バックライトユニット８の照明強度及び液晶表示処理部４、５に対する通電状態を制御する。その際、制御回路６は、専ら音声の番組を放送する特定のチャンネル（ラジオ放送のチャンネル）の映像信号がチューナ１により抽出されて映像信号処理回路４に伝送されている状態であるか否かにも基づいて、バックライトユニット８の照明強度及び液晶表示処理部４、５に対する通電状態を制御する。また、制御回路６は、音声信号検知回路１４の検知結果に基づいて、音声信号処理回路１１に対する通電状態を制御する。【選択図】図１
2007306050.tif 000002
【特許請求の範囲】
【請求項１】
映像信号に所定の信号処理を施す映像信号処理手段及び該映像信号処理手段による処理後の信号に基づく映像を表示する液晶パネルを備えた液晶表示手段と、前記液晶パネルを背面から照明する背面照明手段と、スピーカに伝送される音声信号に所定の信号処理を施す音声信号処理手段とを備えた液晶表示装置であって、
前記映像信号の有無を検知する映像信号検知手段と、
前記音声信号の有無を検知する音声信号検知手段と、
前記映像信号検知手段の検知結果に基づいて前記背面照明手段の照明強度及び前記液晶表示手段に対する通電状態を制御する第１制御手段と、
前記音声信号検知手段の検知結果に基づいて前記音声信号処理手段に対する通電状態を制御する第２制御手段と、
を具備してなることを特徴とする液晶表示装置。
【請求項２】
放送信号から指定されたチャンネルの映像信号及び音声信号を抽出して前記映像信号処理手段及び前記音声信号処理手段へ伝送するチューナを具備し、
前記第１制御手段が、専ら音声の番組を放送する特定のチャンネルの映像信号が前記チューナにより抽出されて前記映像信号処理手段に伝送されている状態であるか否かにも基づいて、前記背面照明手段の照明強度及び前記液晶表示手段に対する通電状態の一方又は両方を制御してなる請求項１に記載の液晶表示装置。
【請求項３】
所定の操作入力情報に従って前記第１制御手段による前記特定のチャンネルの映像信号に基づく制御を有効にするか無効にするかを切り替える制御切替手段を具備してなる請求項２に記載の液晶表示装置。
【請求項４】
所定の操作入力情報に従って前記第１制御手段による前記背面照明手段の照明強度の制御値を設定する照明強度設定手段を具備してなる請求項１〜３のいずれかに記載の液晶表示装置。
【発明の詳細な説明】
【技術分野】
【０００１】
本発明は、声出力機能を備えた液晶表示装置に関するものである。
【背景技術】
【０００２】
昨今、電化製品の省電力化要求が益々厳しくなっており、液晶テレビ（液晶表示手段による映像表示機能及び音声出力機能を備えたテレビジョン受像機）もその例外ではない。
例えば、従来の液晶テレビには、液晶パネルへ伝送される映像信号の有無を検知し、その映像信号が無い状態が一定時間継続した場合に、液晶パネルのバックライト（背面照明手段）を消灯したり、映像処理回路や音声処理回路への通電をオフにし、これにより無駄な電力消費を削減して省電力化を図る液晶テレビがある。このような従来の液晶テレビの省電力制御は、チューナにより選局されたある放送番組や、外部入力端子を通じて入力される外部入力信号など、出力対象とする信号は、映像信号と音声信号とがセットになっていることが前提となっている。
また、特許文献１には、テレビジョン受像機に視聴者を感知するセンシング手段を設け、視聴者が不在である場合に、テレビジョン受像機を、各機器への通電を停止する動作待期モードに切換える技術が示されている。
【特許文献１】特開平０６−０７８２４６号公報
【発明の開示】
【発明が解決しようとする課題】
【０００３】
ところで、昨今の液晶テレビには、高品質（高出力）のスピーカや、イコライズ機能などを含む高機能の音声処理回路を備えたものも多い。このため、昨今の液晶テレビは、その外部入力端子にＣＤプレイヤーなどの音響機器が接続されたり、テレビジョン放送における狭帯域放送を利用して専ら音声の番組を放送するチャンネル（以下、ラジオ主体チャンネルという）が選択されたりすることにより、専ら音響機器として利用される場面が多い。しかしながら、従来の液晶テレビのように、液晶パネルへ伝送される映像信号の有無を検知した結果に基づいて、映像処理回路やバックライト、及び音声処理回路の省電力制御を行うと、液晶テレビが利用者の望む通電状態にならない状況が発生し得るという問題点があった。
例えば、外部入力端子のうちの音声入力端子にのみ音響機器が接続され、その外部入力の信号が出力対象として選択された場合や、映像信号が放送されない前記ラジオ主体チャンネルが選択された場合等には、映像入力端子から入力される映像信号が存在しないため、音声処理回路の通電が遮断されてしまうという不都合が生じる。また、外部入力の信号が出力対象として選択された場合には、省電力制御を無効にすることも考えられるが、そうすると省電力化が不十分となるという不都合が生じる。
また、特許文献１に示される技術を液晶テレビに適用した場合、視聴者（利用者）が存在しない状態にならなければ省電力状態（動作待機モード）に移行せず、省電力化が不十分となるという問題点があった。
従って、本発明は上記事情に鑑みてなされたものであり、その目的とするところは、音声出力機能を備えた液晶表示装置（液晶テレビがその典型例）において、省電力化を図りつつ多様な利用形態に対応できる液晶表示装置を提供することにある。
【課題を解決するための手段】
【０００４】
上記目的を達成するために本発明は、映像信号に所定の信号処理を施す映像信号処理手段及びその映像信号処理手段による処理後の信号に基づく映像を表示する液晶パネルを備えた液晶表示手段と、前記液晶パネルを背面から照明する背面照明手段と、スピーカに伝送される音声信号に所定の信号処理を施す音声信号処理手段とを備えた液晶表示装置に適用されるものであり、次の（１）〜（４）に示す各構成要素を備えることを特徴とする。
（１）前記映像信号の有無を検知する映像信号検知手段。
（２）前記音声信号の有無を検知する音声信号検知手段。
（３）前記映像信号検知手段の検知結果に基づいて前記背面照明手段の照明強度及び前記液晶表示手段に対する通電状態を制御する第１制御手段。
（４）前記音声信号検知手段の検知結果に基づいて前記音声信号処理手段に対する通電状態を制御する第２制御手段。
このような構成を備えた液晶表示装置は、映像信号の有無と音声信号の有無とのそれぞれに応じて、映像関係の機器の省電力制御と音声関係の機器の省電力制御とを個別に行える。その結果、省電力化を図りつつ多様な利用形態に対応できる。
また、放送信号から指定されたチャンネルの映像信号及び音声信号を抽出して前記映像信号処理手段及び前記音声信号処理手段へ伝送するチューナを具備する場合に、前記第１制御手段が、専ら音声の番組を放送する特定のチャンネル（前記ラジオ主体チャンネル）の映像信号が前記チューナにより抽出されて前記映像信号処理手段に伝送されている状態であるか否かにも基づいて、前記背面照明手段の照明強度及び前記液晶表示手段に対する通電状態の一方又は両方を制御することが考えられる。
これにより、前記ラジオ主体チャンネルの放送が、音声信号とともに静止画像などの簡易な映像信号を放送するものである場合に、その映像信号に基づく映像表示よりも省電力化を優先させる制御や、その映像信号に基づく映像表示を比較的低輝度で（背面照明の強度を弱くして）行って映像表示と省電力化とのバランスをとる制御などを実現できる。
この場合、所定の操作入力情報に従って前記第１制御手段による前記特定のチャンネルの映像信号に基づく制御を有効にするか無効にするかを切り替える制御切替手段を具備するものが考えられる。
また、所定の操作入力情報に従って前記第１制御手段による前記背面照明手段の照明強度の制御値を設定する照明強度設定手段を具備するものであれば、利用者の意思に応じた明るさ設定が可能となり好適である。
【発明の効果】
【０００５】
本発明によれば、映像信号処理手段と音声信号処理手段との各々に入力される映像信号の有無と音声信号の有無とのそれぞれに応じて、映像関係の機器の省電力制御と音声関係の機器の省電力制御とを個別に行うので、装置の省電力化を図りつつ多様な利用形態に対応できる。
さらに、テレビジョン放送における狭帯域放送を利用した前記ラジオ主体チャンネルの映像信号が抽出される状態であるか否かにも基づいて、映像関係の機器の状態（通電状態や背面照明の強度）を制御することにより、そのラジオ主体チャンネルの放送における静止画像などの簡易な映像信号に基づく映像出力を行わずに省電力化を優先させる制御や、その映像信号に基づく映像表示を比較的低輝度で行いつつ背面照明の強度を弱くして省電力化も図る制御などを実現できる。
【発明を実施するための最良の形態】
【０００６】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶テレビジョン受像機Ｘの概略構成を表すブロック図、図２は液晶テレビジョン受像機Ｘにおける通電制御の手順を表すフローチャート、図３は液晶テレビジョン受像機Ｘにおけるラジオ主体チャンネルを選局時のパラメータ設定画面の一例を表す図である。
【０００７】
まず、図１に示すブロック図を用いて、本発明の実施形態に係る液晶テレビジョン受像機Ｘの構成について説明する。液晶テレビジョン受像機Ｘは、音声出力機能を備えた液晶表示装置の一例である。
図１に示すように、液晶テレビジョン受像機Ｘは、チューナ１、外部入力部２、映像切替回路３、映像信号処理回路４、液晶パネル５、制御回路６、リモコンインターフェース（Ｉ／Ｆ）回路７、バックライトユニット８、通電切替回路９、音声切替回路１０、音声信号処理回路１１、スピーカ１２、映像信号検知回路１３、音声信号検知回路１４、節電モード通知ランプ１５及びリモコン２０等を具備して構成されている。
【０００８】
チューナ１は、アンテナ等により受信されたテレビジョン放送信号（地上波放送信号やＢＳ衛星放送信号等）から、前記制御回路６により指定された放送チャンネルの信号を抽出（選局）するとともに、その抽出信号の検波によって映像信号及び音声信号を取り出し（抽出し）、その映像信号及び音声信号の各々を映像切替回路３及び音声切替回路１０各々へ伝送するものである。
また、外部入力部２は、外部からコンポジット方式或いはセパレート方式の映像信号及び音声信号等である外部入力映像信号及び外部入力音声信号を入力し、それらを映像切替回路３及び音声切替回路１０各々へ伝送するインターフェースである。
映像切替回路３は、前記チューナ１からの映像信号及び外部入力部２からの映像信号を入力し、それらの映像信号のうちの任意の１つの映像信号を制御回路６からの指示に従って選択して出力するものである。
映像信号処理回路４は、映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を液晶パネル５に出力する。さらに、映像信号処理回路４は、映像切替回路３からの映像信号に、制御回路６から指定された情報の映像をスーパーインポーズする（重ね合わせる）ＯＳＤ機能も備えている。
液晶パネル５は、映像信号処理回路４から出力される映像信号に基づく映像を表示するものである。なお、映像信号処理回路４及び液晶パネル５が、液晶表示手段の一例である。以下、映像信号処理回路４及び液晶パネル５を総称して液晶表示処理部４、５と称する。
【０００９】
バックライトユニット８は、液晶パネル５を背面から照明するものであり、蛍光管やＬＥＤ素子等により構成される光源と、その光源の駆動回路（インバータ回路など）とを備え、制御回路６からの制御指令に従って、照明の強度やＯＮ／ＯＦＦを切り替え可能に構成されている。
音声切替回路１０は、チューナ１からの音声信号、外部入力部２からの音声信号及びテスト信号生成回路８からの音声信号が入力され、それらの音声信号のうちの任意の１つの音声信号を、制御回路６からの指示に従って音声信号処理回路１１に出力するものである。
音声信号処理回路１１は、音声切替回路１０からスピーカ１２に伝送される音声信号に対してイコライズ処理（音質調節）や音量調節処理等の所定の処理を施すものである。そのイコライズ処理における信号の増強や減衰のレベルを定めるゲインや音量（ボリューム）調節のゲインは、リモコン２０を通じて入力される操作入力情報に従って調節される。
【００１０】
制御回路６は、演算手段であるＭＰＵ６ａ、そのＭＰＵ６ａによって実行される制御プログラムが予め格納される記憶手段であるＲＯＭ６ｂ（ＥＰＲＯＭ）、ＭＰＵ６ｂが実行する処理において読み書きされる各種情報を記憶するＥＥＰＲＯＭ６ｃ等を備え、当該液晶テレビジョン受像機Ｘ全体を制御するものである。以下に示す制御回路６の処理は、ＭＰＵ６ａがＲＯＭ６ｂに記憶されたプログラムを実行することによって実現される。
リモコン２０は、当該液晶テレビジョン受像機Ｘの動作の制御用の無線信号（例えば、赤外線信号）を出力するリモート操作器である。このリモコン２０には、チャンネル選択キーや音量調節キーなど、情報入力のために操作される操作入力部や、その操作入力部を通じて入力される操作入力情報（即ち、液晶テレビジョン受像機Ｘの動作の制御信号）を、無線信号（例えば、赤外線信号）に変換してテレビ本体側へ無線伝送する無線信号出力回路等を備えている。
一方、リモコンインターフェース回路７は、リモコン２０（リモート操作器）から伝送される無線信号（赤外線信号等）を受信し、これを電気信号に変換することにより、リモコン２０から伝送される各種情報を取得し、その取得情報を制御回路６に伝送するものである。
【００１１】
映像信号検知回路１３は、映像切替回路３から映像信号処理回路４への信号伝送経路において、電圧レベルを検出すること等によって映像信号の有無を検知する回路である。
音声信号検知回路１４は、音声切替回路１０から音声信号処理回路１１への信号伝送経路において、電圧レベルを検出すること等によって音声信号の有無を検知する回路である。
これら映像信号検知回路１３及び音声信号検知回路１４の検知結果は、制御回路６に伝送され、制御回路６は、それら検知結果に基づいて、バックライトユニット８の照明強度制御と、映像信号処理回路４、バックライトユニット８及び音声信号処理回路１１の各々の通電制御とを行う。その具体的内容については後述する。
通電切替回路９は、制御回路６からの制御指令に従って、液晶表示処理部４、５、バックライトユニット８及び音声信号処理回路１１の各々に対する通電状態（通電ＯＮ／ＯＦＦ）を個別に切り替える回路である。
節電モード通知ランプ１５は、液晶パネル５前面の周辺部（当該液晶テレビジョン受像機Ｘの前面）に設けられたＬＥＤランプ等の低消費電力タイプの表示灯であある。これは、当該液晶テレビジョン受像機Ｘが、液晶表示処理部４、５や音声信号処理回路１０に対する通電の停止等によって消費電力が低く抑えられた節電モードの状態であることを利用者に通知するためのランプである。
【００１２】
次に、図２に示すフローチャートを参照しつつ、液晶テレビジョン受像機Ｘにおける通電制御の手順について説明する。
ここで、図２に示す処理は、利用者によるリモコン２０の操作等により、当該液晶テレビジョン受像機Ｘが起動された場合に開始されるものとする。また、以下に示すＳ１、Ｓ２、…は、処理手順（ステップ）の識別符号を表す。
［ステップＳ１、Ｓ８〜Ｓ１０］
まず、制御回路６は、映像信号検知回路１３の検知結果に基づいて、映像信号処理回路４に入力される映像信号（映像切替回路３から出力される映像信号）が存在しない状態が予め定められた時間以上継続している状態（以下、映像無し継続状態という）であるか否かを判別する（Ｓ１）。
ここで、制御回路６は、前記映像無し継続状態であると判別すると、通電切替回路９を制御することにより、液晶表示処理部４、５及びバックライトユニット８の両方に対する通電を停止（通電ＯＦＦ）させ（Ｓ８、Ｓ９）、さらに、節電モード通知ランプ１５を点灯させ（Ｓ１０）、その後、処理を後述するステップＳ１４へ移行させる。これにより、前記映像無し継続状態である場合には、液晶表示処理部４、５に対する通電が停止されるとともに、液晶パネル５のバックライトの強度が０（通電停止）にされ、無駄な電力消費が抑えられる。また、節電モード通知ランプ１５を点灯させることにより、利用者が故障であると誤解することが防止される。
【００１３】
［ステップＳ２、Ｓ３］
一方、制御回路６は、ステップＳ１において、前記映像無し継続状態ではないと判別した場合には、前記ラジオ主体チャンネル（専ら音声の番組を放送する特定のチャンネル）が出力対象として選局されている場合のバックライト節電制御を「有効」にする設定がなされているか否かの判別を行う（Ｓ２）。ここで、制御回路６は、「有効」にする設定がなされていると判別した場合は、処理を次のステップＳ３へ移行させ、そうでない場合は処理を後述するステップＳ１１へ移行させる。
ここで、バックライト節電制御を有効とするか無効とするかに関する情報は、予め利用者による操作入力情報に従って設定され、制御回路６のＥＥＰＲＯＭ６ｃに記憶される情報である。
【００１４】
図３は、ラジオ主体チャンネルを選局時のパラメータ設定画面の一例を表す図であり、この画面で設定されるパラメータに、前記バックライト節電制御を有効とするか無効とするかの情報（パラメータ）が含まれる。
制御回路６は、リモコン２０を通じて所定のパラメータ設定開始操作がなされたことを検知すると、図３に示すようなパラーメータ設定画面を液晶パネル５にＯＳＤ表示させる。そして、制御回路６は、この画面の表示中に、リモコン２０を通じた操作入力情報に従って、バックライト節電制御の有効／無効情報ｄ１の設定と、これが有効に設定された場合の指定バックライトレベルｄ２（バックライトユニット８の照明強度のレベル指定値）の設定とを行い、各情報ｄ１、ｄ２をＥＥＰＲＯＭ６ｃに記憶させる。なお、制御回路８は、指定バックライトレベルｄ２が０（ゼロ）に設定された場合、バックライトの消灯（即ち、バックライトユニット８に対する通電の停止）が設定されたものとして制御を行う。
さらに、ステップＳ３において、制御回路６は、チューナ１に対するチャンネル指定内容及び映像切替回路３の制御状態に基づいて、前記ラジオ主体チャンネル（専ら音声の番組を放送する特定のチャンネル）の映像信号が、チューナ１によって抽出されて映像信号処理回路４に伝送されている状態であるか否かを判別する（Ｓ３）。なお、いずれのチャンネルがラジオ主体チャンネルであるかを表す情報は、予めＥＥＰＲＯＭ６ｃに記憶されている。
ここで、制御回路６は、前記ラジオ主体チャンネルの映像信号が映像信号処理回路４に伝送されている状態であると判別した場合は、処理を次のステップＳ４へ移行させ、そうでない場合は処理を後述するステップＳ１１へ移行させる。
なお、図３に示す画面を液晶パネル５に表示させつつ、リモコン２０を通じた操作入力情報に従って、ラジオ主体チャンネルの映像信号に基づく制御を有効にするか無効にするかを切り替える処理と、前記指定バックライトレベルｄ２（バックライトユニット８の照明強度の制御値）とを設定する処理とを実行する制御回路６が、制御切替手段及び照明強度設定手段の一例である。
【００１５】
［ステップＳ４］
そして、制御回路６は、ステップＳ４において、前記指定バックライトレベルｄ２が０（ゼロ）に設定されているか否かを判別し（Ｓ４）、０に設定されていると判別した場合、前述したステップＳ８〜Ｓ１０の処理を実行した後、処理を後述するステップＳ１４へ移行させる。
指定バックライトレベルｄ２が０に設定されているということは、利用者が、ラジオ主体チャンネルにおいて静止画などの簡易映像が放送されている場合（前記映像無し継続状態ではない場合）であっても、その映像を鑑賞する意思がないことを表している状況であると考えられる。そのような場合に、制御回路６は、映像関係の機器の動作を停止させて電力消費の少ない状態に移行させる。これにより、ラジオ主体チャンネルの映像信号に基づく映像表示よりも省電力化を優先させるという利用者の意思に沿った制御が行われる。
【００１６】
［ステップＳ５〜Ｓ７］
一方、制御回路６は、ステップＳ４において指定バックライトレベルｄ２が０（ゼロ）に設定されていないと判別した場合、通電切替回路９を制御することにより、液晶表示処理部４、５及びバックライトユニット８の両方に対する通電をＯＮ状態にするとともに、バックライトユニット８の照明強度を前記指定バックライトレベルｄ２に応じた強度に調節する（Ｓ５、Ｓ６）。さらに、制御回路６は、節電モード通知ランプ１５を点灯させ（Ｓ７）、その後、処理を後述するステップＳ１４へ移行させる。これにより、ラジオ主体チャンネルの映像信号に基づく映像表示を比較的低輝度で（バックライトの強度を弱くして）行い、映像表示と省電力化とのバランスをとる制御を実現できる。また、節電モード通知ランプ１５を点灯させることにより、故障によってそのような暗い映像表示の状態になったと利用者が誤解することを防止できる。
【００１７】
［ステップＳ１１〜Ｓ１３］
一方、制御回路６は、ステップＳ２において、前記バックライト節電制御が「有効」に設定されていない（前記バックライト節電制御の有効／無効情報ｄ１が「無効」に設定されている）と判別した場合、又はステップＳ３において、前記ラジオ主体チャンネルの映像信号が映像信号処理回路４に伝送されている状態ではないと判別した場合には、通電切替回路９を制御することにより、液晶表示処理部４、５及びバックライトユニット８の両方に対する通電をＯＮ状態にするとともに、バックライトユニット８の照明強度を通常の強度に調節する（Ｓ１１、Ｓ１２）。さらに、制御回路６は、節電モード通知ランプ１５を消灯させ（Ｓ１３）、その後、処理を後述するステップＳ１４へ移行させる。これにより、映像関係の機器について通常の制御が行われる。
ここで、ステップＳ１２において調節されるバックライトユニット８の照明強度は、例えば、液晶パネル５の前面側に設けられた不図示の明るさセンサに応じて調節される強度である。
【００１８】
［ステップＳ１４〜Ｓ１６］
一方、制御回路６は、ステップＳ１４において、音声信号検知回路１４の検知結果に基づいて、音声信号処理回路１１に入力される音声信号（音声切替回路１０から出力される音声信号）が存在しない状態が予め定められた時間以上継続している状態（以下、音声無し継続状態という）であるか否かを判別する（Ｓ１４）。
そして、制御回路６は、前記音声無し継続状態であると判別すると、通電切替回路９を制御することにより、音声信号処理回路１１に対する通電を停止（通電ＯＦＦ）させ（Ｓ１６）、その後、処理を前述したステップＳ１へ戻す。これにより、前記音声無し継続状態である場合には、音声信号処理回路１１に対する通電が停止され、無駄な電力消費が抑えられる。
一方、制御回路６は、前記音声無し継続状態ではないと判別すると、通電切替回路９を制御することにより、音声信号処理回路１１に対する通電をＯＮ状態にし（Ｓ１５）、その後、処理を前述したステップＳ１へ戻す。
【００１９】
以上に示したように、制御回路６は、ステップＳ１〜Ｓ１３の処理により、映像信号検知回路１３の検知結果に基づいて（Ｓ１）、バックライトユニット８の照明強度及び液晶表示処理部４、５に対する通電状態を制御する（Ｓ５、Ｓ６、Ｓ８、Ｓ９：第１制御手段の一例）。その際、制御回路６は、前記ラジオ主体チャンネル（専ら音声の番組を放送する特定のチャンネル）の映像信号がチューナ１により抽出されて映像信号処理回路４に伝送されている状態であるか否かにも基づいて（Ｓ３）、バックライトユニット８の照明強度及び液晶表示処理部４、５に対する通電状態を制御する（Ｓ５、Ｓ６、Ｓ８、Ｓ９、Ｓ１１、Ｓ１２）。
同様に、制御回路６は、ステップＳ１４〜Ｓ１６の処理により、音声信号検知回路１４の検知結果に基づいて（Ｓ１４）、音声信号処理回路１１に対する通電状態を制御する（Ｓ１５、Ｓ１６：第２制御手段の一例）。
このように、液晶テレビジョン受像機Ｘは、映像信号処理回路４と音声信号処理回路１１との各々に入力される映像信号の有無と音声信号の有無とのそれぞれに応じて、映像関係の機器の省電力制御と音声関係の機器の省電力制御とを個別に行うので、装置の省電力化を図りつつ多様な利用形態に対応できる。
【産業上の利用可能性】
【００２０】
本発明は、音声出力機能を備えた液晶表示装置に利用可能である。
【図面の簡単な説明】
【００２１】
【図１】本発明の実施形態に係る液晶テレビジョン受像機Ｘの概略構成を表すブロック図。
【図２】液晶テレビジョン受像機Ｘにおける通電制御の手順を表すフローチャート。
【図３】液晶テレビジョン受像機Ｘにおけるラジオ主体チャンネルを選局時のパラメータ設定画面の一例を表す図。
【符号の説明】
【００２２】
Ｘ…液晶テレビジョン受像機（液晶表示装置）
１…チューナ
２…外部入力部
３…映像切替回路
４…映像信号処理回路
５…液晶パネル
６…制御回路
７…リモコンインターフェース回路
８…バックライトユニット
９…通電切替回路
１０…音声切替回路
１１…音声信号処理回路
１２…スピーカ
１３…映像信号検知回路
１４…音声信号検知回路
１５…節電モード通知ランプ
２０…リモコン
Ｓ１、Ｓ２、〜…ステップ（処理手順）
【図１】
2007306050.tif 000003
【図２】
2007306050.tif 000004
【図３】
2007306050.tif 000005